(57)【要約】【解決手段】先に底部方向に倒される側壁３に配設されたロック雄部材５の上動により、先に底部方向に倒される側壁３が、底部１方向或いは底部１と反対方向の何方か一方のみに倒され、また、先に底部１方向に倒される側壁３に配設されたロック雄部材５の下動により、先に底部１方向に倒される側壁３が、前記傾倒方向とは反対方向に倒されるように構成したものである。【効果】箱型に組み立てられた折り畳みコンテナーの先に倒される側壁を底部と反対側に倒して開放部を形成する際に、作業者が、誤って、先に倒される側壁を底部方向に倒し、箱型に組み立てられた折り畳みコンテナーに収納されている物品を損傷したり、或いは、物品に衝突した短側壁を損傷するというような課題を解決することができる。【選択図】図２６
2006051965.tif 000002
【特許請求の範囲】
【請求項１】
箱型に組み立てられた状態から、一方の相対する側壁を先に底部方向に倒し、次いで、もう一方の相対する側壁を後から底部方向に倒すことにより折り畳むことが可能で、且つ、前記先に底部方向に倒される側壁を底部とは反対方向に倒すことが可能な折り畳みコンテナーにおいて、前記先に底部方向に倒される側壁に配設されたロック雄部材の上動により、前記先に底部方向に倒される側壁が、底部方向或いは底部と反対方向の何方か一方のみに倒され、また、前記先に底部方向に倒される側壁に配設されたロック雄部材の下動により、前記先に底部方向に倒される側壁が、前記傾倒方向とは反対方向に倒されるように構成したことを特徴とする折り畳みコンテナー。
【請求項２】
前記ロック雄部材の上下動により、前記先に底部方向に倒される側壁に配設されたロック雄部材の係止部材が、後から底部方向に倒される側壁に形成されたロック雌部材の角部垂直部或いは内側垂直部の何方か一方に選択的に当接されるように構成したことを特徴とする請求項１に記載の折り畳みコンテナー。
【請求項３】
箱型に組み立てられた状態において、前記ロック雄部材の係止部材に突設された係止突部が、前記ロック雌部材を構成する角部垂直部の係止突部及び内側垂直部の係止突部に当接するように構成したことを特徴とする請求項１又は請求項２に記載の折り畳みコンテナー。
【発明の詳細な説明】
【技術分野】
【０００１】
本発明は、底部を囲むように配設された側壁が、底部に重なるように折り畳むことが可能な折り畳みコンテナーに関するものである。
【背景技術】
【０００２】
従来、平面形状が略長方形に形成された底部の相対する長辺部に、ヒンジ部材を介して連結されているとともに、略垂直に立てられた状態から、底部方向にのみ倒すことが可能な長側壁と、同じく、上記底部の相対する短辺部に、ヒンジ部材を介して連結されているとともに、略垂直に立てられた状態から、底部方向及び底部とは反対方向に倒すことが可能な短側壁とからなる折り畳みコンテナーが知られている。
【０００３】
そして、箱型に組み立てられた状態から、略垂直状態の相対する短側壁を、底部に重なるように倒し、次いで、略垂直状態の相対する長側壁を、底部に重なるように倒された短側壁の上に倒すことにより、折り畳むように構成されており、また、箱型に組み立てられた状態においては、長側壁と短側壁が、底部方向に倒れないように、互いに、ロック機構によりロックされている。
【０００４】
また、箱型に組み立てられた状態において、相対する短側壁のうち、一方の短側壁と長側壁とのロック状態を解除することにより、一方の短側壁を、底部とは反対方向に倒して、箱型に組み立てられた折り畳みコンテナーの一方の短側壁側を開放して、箱型に組み立てられた折り畳みコンテナーから物品を取り出すことができるように構成されている。
【０００５】
上述したような構成を有する折り畳みコンテナーは、一例として、特許文献１に開示されている。
【特許文献１】特開２００４−１６８３９６号公報
【発明の開示】
【発明が解決しようとする課題】
【０００６】
従来の折り畳みコンテナーにおいては、相対する短側壁のうちの一方の短側壁を、底部と反対方向に倒すには、短側壁に配設された操作部材をロック解除位置に移動させて、短側壁と長側壁のロック状態を解除し、その後、一方の短側壁を、底部とは反対方向に倒すことになるが、上記のロック解除位置においては、一方の短側壁を、底部方向にも倒すことができるので、作業者が、誤って、一方の短側壁を底部方向に倒し、箱型に組み立てられた折り畳みコンテナーに収納されている物品が損傷したり、或いは、物品に衝突した短側壁が損傷するという問題があった。
【０００７】
本発明の目的は、上述した従来の折り畳みコンテナーが有する課題を解決することにある。
【課題を解決するための手段】
【０００８】
本発明は、上述した目的を達成するために、箱型に組み立てられた状態から、一方の相対する側壁を先に底部方向に倒し、次いで、もう一方の相対する側壁を後から底部方向に倒すことことにより折り畳むことが可能で、且つ、前記先に底部方向に倒される側壁を底部とは反対方向に倒すことが可能な折り畳みコンテナーにおいて、第１には、前記先に底部方向に倒される側壁に配設されたロック雄部材の上動により、前記先に底部方向に倒される側壁が、底部方向或いは底部と反対方向の何方か一方のみに倒され、また、前記先に底部方向に倒される側壁に配設されたロック雄部材の下動により、前記先に底部方向に倒される側壁が、前記傾倒方向とは反対方向に倒されるように構成したものであり、第２には、前記ロック雄部材の上下動により、前記先に底部方向に倒される側壁に配設されたロック雄部材の係止部材が、後から底部方向に倒される側壁に形成されたロック雌部材の角部垂直部或いは内側垂直部の何方か一方に選択的に当接されるように構成したものであり、第３には、箱型に組み立てられた状態において、前記ロック雄部材の係止部材に突設された係止突部が、前記ロック雌部材を構成する角部垂直部の係止突部及び内側垂直部の係止突部に当接するように構成したものである。
【発明の効果】
【０００９】
先に底部方向に倒される側壁に配設されたロック雄部材の上動により、先に底部方向に倒される側壁が、底部方向或いは底部と反対方向の何方か一方のみに倒され、また、先に底部方向に倒される側壁に配設されたロック雄部材の下動により、先に底部方向に倒される側壁が、傾倒方向とは反対方向に倒されるように構成したので、箱型に組み立てられた折り畳みコンテナーの先に倒される側壁を底部と反対側に倒して開放部を形成する際に、作業者が、誤って、先に倒される側壁を底部方向に倒し、箱型に組み立てられた折り畳みコンテナーに収納されている物品を損傷したり、或いは、物品に衝突した短側壁を損傷するというような課題を解決することができる。
【００１０】
ロック雄部材の上下動により、先に底部方向に倒される側壁に配設されたロック雄部材の係止部材が、後から底部方向に倒される側壁に形成されたロック雌部材の角部垂直部或いは内側垂直部の何方か一方に選択的に当接されるように構成したので、確実に、先に底部方向に倒される側壁を、底部方向か、或いは、底部と反対方向に、選択的に傾動することができる。
【００１１】
箱型に組み立てられた状態において、ロック雄部材の係止部材に突設された係止突部が、ロック雌部材を構成する角部垂直部の係止突部及び内側垂直部の係止突部に当接するように構成したので、後から底部方向に倒される側壁が外側に回動し、後から底部方向に倒される側壁に形成された雄ヒンジ部材や底部に形成された雌ヒンジ部材や底部の長辺土手部等が損傷するようなことを防止することができる。
【実施例】
【００１２】
以下に、本発明の実施例について説明するが、本発明の趣旨を越えない限り、何ら、本実施例に限定されるものではない。
【００１３】
本発明の全体構成は、図１に示されているように、長辺に沿って形成された相対する長辺土手部１ａを有する底部１と、底部１の長辺土手部１ａにヒンジ連結された長側壁２と、底部１の短辺に、後述する二軸回転機構を介してヒンジ連結された短側壁３とから構成されている。
【００１４】
先ず最初に、図２〜図５を用いて、底部１について説明する。
【００１５】
底部１は、平面形状が長方形状の底板１ｂを有しており、底板１ｂの裏面には、底板１ｂの長辺に沿った複数のリブ１ｃ１と底板１ｂの短辺に沿った複数のリブ１ｃ２とにより、底部嵌合部１ｃが形成されている。箱型に組み立てられた折り畳みコンテナーを、上下方向に積み重ねた際には、上に位置する折り畳みコンテナーの底部１に形成された底部嵌合部１ｃが、下に位置する折り畳みコンテナーの上部開口部に嵌合されるように構成されている。
【００１６】
長辺側土手部１ａは、底部１の底板１ｂの縁部から上方に略垂直に延在する内側垂直部１ａ１と、内側垂直部１ａ１の上端から外側に略水平に延在する水平部１ａ２と、水平部１ａ２の縁部から内側垂直部１ａ１と略平行に下方に延在する外側垂直部１ａ３とから構成されており、長手方向に対して垂直な断面形状が、略逆Ｕ字状に形成されている。
【００１７】
長辺側土手部１ａの両端部は、上述したような略逆Ｕ字状の断面形状を有しておらず、外側垂直部１ａ３が省略されているとともに、略逆Ｕ字状の断面形状を有する長辺側土手部１ａの両側部は、略垂直な閉鎖側板部１ａ４により閉鎖されている。長辺側土手部１ａの両端部は、外側垂直部１ａ３が省略されていて、内側垂直部１ａ１と水平部１ａ２とから構成され、長辺側土手部１ａの長手方向に対して垂直な断面形状が、略逆Ｌ字状に形成されている。なお、略逆Ｌ字状に形成されている長辺側土手部１ａの両端部を、以下、略逆Ｌ字状端部領域と称し、１ａ’を付すとともに、長辺側土手部１ａの断面形状が略逆Ｕ字状の領域を、以下、略逆Ｕ字状端部領域と称し、１ａ”を付す。
【００１８】
略逆Ｌ字状端部領域１ａ’を構成する内側垂直部１ａ１の端部と水平部１ａ２の端部とは、略垂直な端部側板１ａ５で連結されている。また、閉鎖側板部１ａ４の略中央部と端部側板１ａ５の略中央部と内側垂直部１ａ１の略中央部とは、補強用の水平な架橋水平板１ａ６で連結されており、更に、略逆Ｌ字状端部領域１ａ’を構成する水平部１ａ２の上面には、水平部１ａ２を下方に膨出させることにより、嵌合凹部１ａ７が形成されている。更に、閉鎖側板部１ａ４の下端と端部側板１ａ５の下端とは、略水平な下端板１ａ８で連結されており、下端板１ａ８の下面には、下端板１ａ８を下方に膨出させることにより、嵌合凹部１ａ７の略真下に位置する嵌合凸部１ａ９が形成されている。
【００１９】
底部１の底板１ｂの短辺から垂設された垂直側端壁１ｂ１の両端部付近には、所定の間隔を置いて、切欠き凹部１ｄが形成されており、切欠き凹部１ｄは、奥壁１ｄ１と相対する側壁１ｄ２とを有しており、略逆Ｌ字状端部領域１ａ’側に位置する一方の側壁１ｄ２には、軸挿入孔１ｄ３が穿設されている。なお、略逆Ｌ字状端部領域１ａ’を構成する内側垂直部１ａ１にも、軸挿入孔１ｄ３に対応して、同様の軸挿入孔１ａ１０が穿設されている。また、底板１ｂと垂直側端壁１ｂ１とにより形成される角部には、底板１ｂの短辺に沿って、段差１ｂ２が形成されている。
【００２０】
次に、図３、図４、図６及び図７を用いて、底部１の長辺側土手部１ａを構成する略逆Ｕ字状端部領域１ａ”に配設されている雌ヒンジ部材Ｈ１について説明する。
【００２１】
長辺側土手部１ａの水平部１ａ２には、平面形状が長方形の縦孔ｈ１が穿設されている。また、長辺側土手部１ａの内側垂直部１ａ１には、上方が開放されているとともに、底板１ｃ方向に延在する切欠き凹部ｈ２が形成されている。
【００２２】
切欠き凹部ｈ２の両側に位置する内側垂直部１ａ１の内面（外側垂直部１ａ３側に位置する面）の上端部には、フックｈ３が突設されており、フックｈ３は、長辺側土手部１ａの水平部１ａ２から外側垂直部１ａ３に向かって、外側垂直部１ａ３に徐々に接近するように傾斜した上部傾斜面ｈ３ａと略水平な庇部ｈ３ｂとにより構成されている。
【００２３】
上述した長辺側土手部１ａに形成された縦孔ｈ１と切欠き凹部ｈ２とフックｈ３とにより、雌ヒンジ部材Ｈ１が構成されている。
【００２４】
次に、図１、図３、図８及び図９を用いて、長側壁２及び長側壁２に配設された雄ヒンジ部材Ｈ２について説明する。
【００２５】
長側壁２は、略横長の長方形状の板状部２ａと、板状部２ａの上端から、板状部２ａの外面（折り畳みコンテナーを箱型に組み立てた際に、外側に位置する面）２ａ１から突出するように延在する上端水平フランジ２ｂと、板状部２ａの下端から、板状部２ａの外面２ａ１から突出するように延在する下端水平フランジ２ｃと、上端水平フランジ２ｂの両端と下端水平フランジ２ｃの両端とを連結する相対する端部垂直フランジ２ｄとを有している。
【００２６】
板状部２ａの上部角部には、上端水平フランジ２ｂの両端部分を、板状部２ａの内面（折り畳みコンテナーを箱型に組み立てた際に、内側に位置する面）２ａ２から突出する方向に延在することにより形成された板状の角部水平部２ｅが形成されており、また、端部垂直フランジ２ｄの上端部分を、板状部２ａの内面２ａ２から突出する方向に延在することにより形成された板状の角部垂直部２ｆが形成されており、角部水平部２ｅの外側端部と角部垂直部２ｆの上端部とが連接されている。また、板状部２ａの内面２ａ２には、角部垂直部２ｆと所定の間隔を置いて、且つ、角部垂直部２ｆと略平行な板状の内側垂直部２ｇが、上端水平フランジ２ｂから垂設するように形成されている。
【００２７】
角部垂直部２ｆの略中央部の縁部には、内側垂直部２ｇ方向に延在するとともに板状部２ａと略平行な外側係止突部２ｆ１が形成されており、更に、内側垂直部２ｇの略中央部の縁部には、上記の外側係止突部２ｆ１に対向するように、外側係止突部２ｆ１方向に延在するとともに板状部２ａと略平行な内側係止突部２ｇ１が形成されている。なお、角部水平部２ｅと角部垂直部２ｆと内側垂直部２ｇとにより囲まれた板状部２ａに形成された略方形状の透孔２ｈは、長側壁２を一体成形する際の金型の抜き孔である。
【００２８】
内側垂直部２ｇの上端部には、内側垂直部２ｇの上端部を切り欠くことにより、切り欠き凹部２ｉが形成されており、また、角部垂直部２ｆの下端部には、角部垂直部２ｆの下端部を切り欠くことにより、角部切り欠き部２ｊが形成されている。なお、上端水平フランジ２ｂの両端部付近には、上端水平フランジ２ｂを下方に膨出させることにより、嵌合凹部２ｋが形成されており、嵌合凹部２ｋは、上述した底部１の下端板１ａ８に形成された嵌合凸部１ａ９の真上に位置するように構成されている。更に、下端水平フランジ２ｃの両端部には、下端水平フランジ２ｃを下方に膨出させることにより、嵌合凸部２ｍが形成されており、嵌合凸部２ｍは、長側壁２を略垂直に立てた際に、底部１の略逆Ｌ字状端部領域１ａ’に形成された嵌合凹部１ａ７に嵌合されるように構成されている。
【００２９】
上述した角部水平部２ｅと角部垂直部２ｆと内側垂直部２ｇと切り欠き凹部２ｉと角部切り欠き部２ｊとにより、長側壁２の上部両端角部に、ロック雌部材Ｌが構成されている。
【００３０】
長側壁２の下端水平フランジ２ｃの裏面には、雄ヒンジ部材Ｈ２が形成されている。雄ヒンジブ部材Ｈ２は、所定の間隔をおいて、且つ、下端水平フランジ２ｃの長手方向に対して垂直に、下端水平フランジ２ｃの裏面に垂設されている板状の支持片ｈ１０を有しており、一対の支持片ｈ１０は、連結片ｈ１１により連結されている。一対の支持片ｈ１０の外側面（一対の支持片ｈ１０の相対する面とは反対側の面）間の幅は、切欠き凹部ｈ２の横幅より、若干、狭く形成されており、一対の支持片ｈ１０が、切欠き凹部ｈ２に挿入可能なように構成されている。また、一対の支持片ｈ１０の外側面の下端部には、ヒンジブロックｈ１２が取着されており、ヒンジブロックｈ１２の下端水平フランジ２ｃとの対向面（以下、上面という。）ｈ１２ａは、下端水平フランジ２ｃと略平行な平坦面として形成されており、更に、上記の上面ｈ１２ａの板状部２ａ側に位置する端部には、略直方体状の当接ブロック部ｈ１２ｂが突設されている。そして、長側壁２の下端水平フランジ２ｃの裏面に形成された雄ヒンジ部材Ｈ２は、雌ヒンジ部材Ｈ１を形成する長辺側土手部１ａに形成された縦孔ｈ１に挿入可能なように構成されている。
【００３１】
上述した一対の支持片ｈ１０と連結片ｈ１１と当接ブロック部ｈ１２ｂを有するヒンジブロックｈ１２とにより、雄ヒンジ部材Ｈ２が構成されている。
【００３２】
底部１と長側壁２とをヒンジ連結するには、図６に示されているように、長側壁２を、底部１と略平行になるように、略水平状態に配置し、その後、その状態を維持したまま、長側壁２を、底部１に向かって下降させ、長側壁２に形成されたヒンジブロックｈ１２が突設されている支持片ｈ１０を、長辺側土手部１ａに形成された切欠き凹部ｈ２に挿入するとともに、ヒンジブロックｈ１２を、長辺側土手部１ａに形成された縦孔ｈ１に挿入すると、ヒンジブロックｈ１２は、図６に示されているように、底部１の長辺側土手部１ａを形成する内側垂直部１ａ１の内面に突設されたフックｈ３の上部傾斜面ｈ３ａに載置されることになる。その後、長側壁２と底部１との略水平状態を維持したまま、長側壁２を、更に、底部１に向かって、強制的に下降させると、ヒンジブロックｈ１２は、長辺側土手部１ａの内側垂直部１ａ１或いは／及び外側垂直部１ａ３を湾曲変形させて、底部１に形成された長辺側土手部１ａの外側垂直部１ａ３と内側垂直部１ａ１の内面に突設されたフックｈ３との間の間隙を拡げることにより、外側垂直部１ａ３と内側垂直部１ａ１の内面に突設されたフックｈ３との間を通過し、図４に示されているように、底部１に形成された長辺側土手部１ａの外側垂直部１ａ３と内側垂直部１ａ１との間に配置されることになる。このようにして、底部１の長辺側土手部１ａに配設された雌ヒンジ部材Ｈ１と長側壁２に配設された雄ヒンジ部材Ｈ２とがヒンジ連結されることになる。
【００３３】
折り畳みコンテナーが折り畳まれた状態から、略水平状態の長側壁２を、略垂直に立てると、図７に示されているように、ヒンジブロックｈ１２の当接ブロック部ｈ１２ｂが、底部１に形成された長辺側土手部１ａの内側垂直部１ａ１に突設されたフックｈ３の庇部ｈ３ｂの下に入り込むとともに、長側壁２の下端水平フランジ２ｃが、底部１の長辺側土手部１ａの水平部１ａ２に載置されることになる。そして、フックｈ３の庇部ｈ３ｂの下に入り込んだヒンジブロックｈ１２の当接ブロック部ｈ１２ｂは、フックｈ３の庇部ｈ３ｂと当接するように、或いは、庇部ｈ３ｂに接近した位置をとるように構成されており、従って、折り畳みコンテナーが、箱型に組み立てられた状態においては、長側壁２が、上下方向にがたつくようなことがない。
【００３４】
次に、図１０〜図１１を用いて、短側壁３について説明する。
【００３５】
短側壁３は、横長の略長方形状の板状部３ａを有しており、板状部３ａの上端から、板状部３ａの外面（折り畳みコンテナーを箱型に組み立てた際に、外側に位置する面）３ａ１から突出するように延在する上端水平フランジ３ｂと、板状部３ａの下端から、板状部３ａの外面３ａ１から突出するように延在する下端水平フランジ３ｃと、板状部３ａの側端に沿って、且つ、板状部３ａの外面３ａ１から突出するように延在する相対する端部垂直フランジ３ｄとを有している。
【００３６】
上端水平フランジ３ｂの両端は、端部垂直フランジ３ｄまで達しておらず、また、端部垂直フランジ３ｄの上端は、上端水平フランジ３ｂまで達しておらず、端部垂直フランジ３ｄの下端は、下端水平フランジ３ｃの両端に連接されている。端部垂直フランジ３ｄの上端には、板状部３ａの中央方向に延在する板状の端部水平部３ｅが形成されている。
【００３７】
上端水平フランジ３ｂの下方に位置する板状部３ａの外面３ａ１には、上端水平フランジ３ｂと所定の間隔を置いて、上部水平フランジ３ｆが形成されており、上端水平フランジ３ｂの先端の両端部と上部水平フランジ３ｆの先端の両端部付近とは、板状部３ａに平行な帯状の連結垂直リブ３ｇにより連結されている。また、板状部３ａの外面３ａ１と上端水平フランジ３ｂと端部水平部３ｅと連結垂直リブ３ｇとにより囲まれた領域には、ロック雄部材挿通透孔３ｈが形成されている。更に、上端水平フランジ３ｂと上部水平フランジ３ｆとは、垂直ガイドリブ３ｉにより連結されており、垂直ガイドリブ３ｉの板状部３ａの外面３ａ１からの高さは、上端水平フランジ３ｂや上部水平フランジ３ｇの板状部３ａの外面３ａ１からの高さより、低く形成されている。本実施例においては、所定の間隔を置いて、２本の垂直ガイドリブ３ｉが形成されている。
【００３８】
短側壁３の下端水平フランジ３ｃの裏面の両端部付近には、それぞれ、一対の略円筒状の軸受部３ｊが垂設されている。即ち、下端水平フランジ３ｃの裏面の一方の端部付近には、所定の間隔を置いて、一対の軸受部３ｊが垂設されており、また、下端水平フランジ３ｃの裏面のもう一方の端部付近には、所定の間隔を置いて、一対の軸受部３ｊが垂設されている。
【００３９】
下端水平フランジ３ｃの先端の中央部には、切り欠き凹部３ｃ１が形成されている。また、下端水平フランジ３ｃと上部水平フランジ３ｇとは、必要に応じて適宜、垂直リブ３ｋにより連結されている。更に、下端水平フランジ３ｃの中央部側に位置する軸受部３ｊと下端水平フランジ３ｃとにより形成される隅部には、板状部３ａを、下端水平フランジ３ｃを越えて下方に延長することにより、横長の帯状突出リブ３ｍが形成されている。
【００４０】
次に、図１２〜図１３を用いて、底部１と短側壁３とを連結する連結部材４について説明する。
【００４１】
連結部材４は、横長の帯状の板状部４ａと、板状部４ａの上端から、板状部４ａの外面（折り畳みコンテナーを箱型に組み立てた際に、外側に位置する面）４ａ１から突出するように延在する上端フランジ４ｂと、板状部４ａの下端から、板状部４ａの外面４ａ１から突出するように延在する下端水平フランジ４ｃとを有している。
【００４２】
上端フランジ４ｂは、中央水平部４ｂ１と、中央水平部４ｂ１の両端から外側に延在するとともに、中央水平部４ｂ１より、一段下がった中間水平部４ｂ２と、中間水平部４ｂ２の端部から外側に延在するとともに、中間水平部４ｂ２より、一段下がった端部水平部４ｂ３とから形成されている。中央水平部４ｂ１の両端と中間水平部４ｂ２の中央水平部４ｂ１側の両端とは、下端水平フランジ４ｃまで達する板状の内側垂直部４ｂ４により連結されており、また、中間水平部４ｂ２の端部水平部４ｂ３側の端部と端部水平部４ｂ３の中間水平部４ｂ２側の端部とは、下端水平フランジ４ｃまで達する板状の中間垂直部４ｂ５により連結されており、更に、端部水平部４ｂ３の端部と下端水平フランジ４ｃの両端とは、板状の端部垂直部４ｂ６により連結されている。
【００４３】
両側に配置されている上端フランジ４ｂを構成する端部水平部４ｂ３の上面の端部付近及び中央部付近には、所定の間隔を置いて、一対の略円筒状の上部軸受部４ｄが立設されている。また、下端水平フランジ４ｃの裏面の両端付近には、略円筒状の下部軸受部４ｅが垂設されている。即ち、下端水平フランジ４ｃの裏面には、２個の下部軸受部４ｅが垂設されている。
【００４４】
上端フランジ４ｂを構成する中央水平部４ｂ１の板状部４ａから遠い方の上面には、中央水平部４ｂ１の幅方向の略全長に亘たって、横長の帯状突出ブロック４ｆが突設されており、また、帯状突出ブロック４ｆの上面には、側面形状が、略逆Ｌ状の嵌合突部４ｇが立設されており、嵌合突部４ｇは、帯状突出ブロック４ｆの上面から立設された、横長の垂直部４ｇ１と、垂直部４ｇ１の上端から、板状部４ａ方向に延在する水平部４ｇ２とから構成されている。嵌合突部４ｇの垂直部４ｇ１は、折り畳みコンテナーが箱型に組み立てられた状態において、図２６等の示されているように、短側壁３の下端水平フランジ３ｃの中央部に形成された切り欠き凹部３ｃ１に嵌合するとともに、嵌合突部４ｇの水平部４ｇ２が、短側壁３の下端水平フランジ３ｃの上面に当接或いは接近して位置するように構成されている。また、下端水平フランジ４ｃの裏面には、下端水平フランジ４ｃを越えて、板状部４ａを下方に延在することにより、横長の帯状突出リブ４ｈが垂設されている。なお、４ｉは、嵌合突部４ｇの垂直部４ｇ１と水平部４ｇ２とにより形成される角部に、所定の間隔を置いて穿設された透孔である。
【００４５】
次に、主として、図１４を用いて、短側壁３を、連結部材４を介して、底部１の短辺にヒンジ連結する手段について説明する。
【００４６】
短側壁３の下端水平フランジ３ｃの裏面の両端部付近に垂設された一対の略円筒状の軸受部３ｊの間隙に、連結部材４の上端フランジ４ｂを構成する端部水平部４ｂ３の上面に立設された一対の上部軸受部４ｄのうちの中間水平部４ｂ２寄りの上部軸受部４ｄを嵌合するとともに、連結部材４の端部水平部４ｂ３の上面に立設された一対の上部軸受部４ｄの間隙に、短側壁３の下端水平フランジ３ｃの裏面に垂設された一対の略円筒状の軸受部３ｊのうちの外側に位置する軸受部３ｊを嵌合する。その後、短側壁３の下端水平フランジ３ｃの裏面に垂設された一対の略円筒状の軸受部３ｊと連結部材４の端部水平部４ｂ３の上面に立設された一対の上部軸受部４ｄとに、連結ピンｐ１を嵌入することにより、短側壁３と連結部材４とをヒンジ連結する。このようにして、短側壁３の下端水平フランジ３ｃの裏面の両端部付近に垂設された一対の略円筒状の軸受部３ｊと連結部材４の上部軸受部４ｄと連結ピンｐ１とにより、連結ピンｐ１の軸芯を中心とした上部回転軸が形成される。
【００４７】
また、連結部材４の下端水平フランジ４ｃの裏面に垂設された下部軸受部４ｅを、底部１の短辺の両端部付近に形成された切欠き凹部１ｄに挿入するとともに、底部１に形成された切欠き凹部１ｄを構成する一方の側壁１ｄ２に穿設された軸挿入孔１ｄ３と底部１の略逆Ｌ字状端部領域１ａ’を構成する内側垂直部１ａ１に穿設された軸挿入孔１ａ１０と上記の切欠き凹部１ｄに挿入された下部軸受部４ｅとに、連結ピンｐ２を嵌入することにより、底部１と連結部材４とをヒンジ連結する。このようにして、連結部材４の下端水平フランジ４ｃの裏面に垂設された下部軸受部４ｅと、底部１に形成された切欠き凹部１ｄを構成する一方の側壁１ｄ２ｂに穿設された軸挿入孔１ｄ３と、底部１の略逆Ｌ字状端部領域１ａ’を構成する内側垂直部１ａ１に穿設された軸挿入孔１ａ１０と、連結ピンｐ２とにより、連結ピンｐ２の軸芯を中心とした下部回転軸が形成される。
【００４８】
上述したようにして、短側壁３が、連結部材４を介して、底部１にヒンジ連結されることになる。
【００４９】
図１に示されている箱型に組み立てられた状態から、略垂直状態の短側壁３を、図１５の左側に位置する短側壁３のように、底部１方向に倒す際には、短側壁３は、上述した短側壁３の下端水平フランジ３ｃの裏面に垂設された一対の略円筒状の軸受部３ｊと連結部材４の上部軸受部４ｄと連結する連結ピンｐ１の軸芯を中心とした上部回転軸を中心に、底部１方向に回動されることになる。また、略垂直状態の短側壁３を、図１５の右側に位置する短側壁３のように、底部１と反対方向に倒す際には、上述した連結部材４の下端水平フランジ４ｃの裏面に垂設された下部軸受部４ｅと、底部１に形成された切欠き凹部１ｄを構成する一方の側壁１ｄ２ｂに穿設された軸挿入孔１ｄ３と、底部１の略逆Ｌ字状端部領域１ａ’を構成する内側垂直部１ａ１に穿設された軸挿入孔１ａ１０に嵌入され、連結部材４と底部１とを連結する連結ピンｐ２の軸芯を中心とした下部回転軸を中心に、外側に倒されることになる。
【００５０】
上述したように、短側壁３は、連結部材４を介して、上述した上部回転軸と下部回転軸との二軸回転機構により、底部１とヒンジ連結されている。
【００５１】
箱型に組み立てられた状態から、略垂直状態の短側壁３を、底部１と反対方向に倒した際には、図１６に示されているように、連結部材４の下端水平フランジ４ｃは、底部１の底板１ｂの短辺から垂設された垂直側端壁１ｂ１に面接触するように構成されており、また、連結部材４の下端水平フランジ４ｃの裏面に垂設された帯状突出リブ４ｈは、底部１の底板１ｂの短辺に沿って形成された段差１ｂ２に嵌合するとともに、連結部材４の板状部４ａの内面（折り畳みコンテナーを箱型に組み立てた際に、内側に位置する面）４ａ２と底部１の底板１ｂの上面とが略面一となるように構成されている。また、短側壁３の下端水平フランジ３ｃの先端部は、図１６に示されているように、連結部材４の嵌合突部４ｇを構成する垂直部４ｇ１と水平部４ｇ２及び帯状突出ブロック４ｆの上面とにより形成される凹部４ｊに嵌合されるように構成されており、連結部材４の板状部４ａの内面４ａ２と短側壁３の板状部３ａの内面３ａ２とが略面一になるように構成されている。従って、箱型に組み立てられた状態から、図１６に示されているように、略垂直状態の短側壁３を、底部１と反対方向に倒した際には、底部１の底板１ｂの上面と連結部材４の板状部４ａの内面４ａ２と短側壁３の板状部３ａの内面３ａ２とが略面一になるように構成されている。
【００５２】
箱型に組み立てられた状態から、一方の短側壁３を、底部１と反対側に倒した際には、上述したように、底部１の底板１ｂの上面と連結部材４の板状部４ａの内面４ａ２と短側壁３の板状部３ａの内面３ａ２とが略面一に形成され、底部１の底板１ｂの上面と連結部材４の板状部４ａの内面４ａ２と短側壁３の板状部３ａの内面３ａ２とには、段差や突部が形成されていないので、図１７に示されているように、箱型に組み立てられた折り畳みコンテナーの一方の短側壁３が底部１と反対側に倒されて形成された開放部から、底部１の底板１ｂの上面をスライドさせながら、物品Ａを取り出す際に、物品Ａが、上記の段差や突部に当接し、物品Ａの箱型に組み立てられた折り畳みコンテナーからの円滑な取り出しが阻害されるようなことがない。
【００５３】
次に、図１８〜図１９を用いて、短側壁３に配設される合成樹脂で一体成形されたロック雄部材５について説明する。
【００５４】
ロック雄部材５は、上部水平部５ａ１と、下部水平部５ａ２と、上部水平部５ａ１の両端と下部水平部５ａ２の両端を連結する相対する側部垂直部５ａ３と、上部水平部５ａ１と下部水平部５ａ２と一対の側部垂直部５ａ３とにより形成された額縁状枠体の一方の開口を閉鎖する背板５ａ４とにより形成された箱状本体５ａを有しており、背板５ａ４には、背板５ａ４を、前方に凹ますことにより形成された一対の垂直ガイド溝５ｂが形成されている。
【００５５】
箱状本体５ａを構成する相対する側部垂直部５ａ３には、側部垂直部５ａ３に対して略垂直な箱状の腕部５ｃが、それぞれ延設されている。腕部５ｃは、上部水平部５ｃ１と、下部水平部５ｃ２と、上部水平部５ｃ１の先端と下部水平部４ｃ２の先端を連結する側部垂直部５ｃ３と、上部水平部５ｃ１と下部水平部５ｃ２と箱状本体５ａの側部垂直部５ｃ３とにより形成された額縁状枠体の一方の開口を閉鎖する前板５ｃ４とにより構成されている。
【００５６】
箱状本体５ａを挟んで位置する一対の腕部５ｃを構成する上部水平部５ｃ１の上面には、上部水平部５ｃ１から箱状本体５ａを構成する相対する側部垂直部５ａ３に向かって、上方に傾斜する上部弾性板材５ｄが形成されており、また、腕部５ｃを構成する下部水平部５ｃ２の裏面には、上部水平部５ｃ１から箱状本体５ａを構成する相対する側部垂直部５ａ３に向かって、下方に傾斜する下部弾性板材５ｅが形成されている。
【００５７】
腕部５ｃを構成する側部垂直部５ｃ３には、箱型の中間部材５ｆを介して、或いは、腕部５ｃを構成する側部垂直部５ｃ３に、直に、係止部材５ｇが、略水平に連接されている。係止部材５ｇは、中間部材５ｆの外側側壁５ｆ１或いは中間部材５ｆが省略されている場合には、腕部５ｃを構成する側部垂直部５ｃ３に略垂直に形成された角柱状の係止本体５ｇ１と、係止本体５ｇ１の相対する垂直側面５ｇ１’の先端部に突設された一対の係止突部５ｇ２とを有している。
【００５８】
次に、主として、図１０、図１１及び図１８〜図２０を用いて、短側壁３へのロック雄部材５の取り付けについて説明する。
【００５９】
ロック雄部材５の係止部材５ｇを、短側壁３に形成されたロック雄部材挿通透孔３ｈに挿通するとともに、ロック雄部材５の背板５ａ４に形成された一対の垂直ガイド溝５ｂに、短側壁３に形成された垂直ガイドリブ３ｉを挿入する。少なくとも、ロック雄部材５の係止部材５ｇを形成する係止突部５ｇ２は、ロック雄部材挿通透孔３ｈから外側に突出しているとともに、ロック雄部材５が、短側壁３の端部垂直フランジ３ｄを越えて、外側に突出しないように構成されている。また、ロック雄部材５が、短側壁３に取り付けられた際には、ロック雄部材５の上部弾性板材５ｄが、短側壁３の上端水平フランジ３ｂに当接或いは接近して位置するとともに、ロック雄部材５の下部弾性板材５ｅが、短側壁３の上部水平フランジ３ｆに当接或いは接近して位置するように構成されている。上記のように、ロック雄部材５の背板５ａ４に形成された一対の垂直ガイド溝５ｂに、短側壁３に形成された垂直ガイドリブ３ｉが挿入されているので、ロック雄部材５の水平方向への移動が阻止されるとともに、ロック雄部材５を上下方向に安定して移動することができる。
【００６０】
箱型に組み立てれられた状態においては、短側壁３に取り付けられたロック雄部材５の箱状本体５ａは、短側壁３の上端水平フランジ３ｂと上部水平フランジ３ｆとの略中間に位置する待機位置に位置ように構成されており、この待機位置においては、図２１に示されているように、ロック雄部材５を構成する係止部材５ｇの係止本体５ｇ１の先端部及び係止突部５ｇ２は、長側壁２に形成された角部垂直部２ｆと内側垂直部２ｇとの間に位置するとともに、ロック雄部材５を構成する係止部材５ｇの係止突部５ｇ２は、長側壁２に形成された角部垂直部２ｆの外側係止突部２ｆ１及び内側垂直部２ｇの内側係止突部２ｇ１の背後、換言すれば、長側壁２に形成された角部垂直部２ｆの外側係止突部２ｆ１及び内側垂直部２ｇの内側係止突部２ｇ１より、長側壁２の板状部２ａ側に位置している。
【００６１】
上述したように、箱型に組み立てれられた状態においては、ロック雄部材５を構成する係止部材５ｇの係止突部５ｇ２は、長側壁２に形成された角部垂直部２ｆと内側垂直部２ｇとの間に位置しているので、短側壁３に、底部１方向に倒れるような負荷が加わっても、係止部材５ｇの係止突部５ｇ２は、長側壁２に形成された内側垂直部２ｇに当接し、従って、短側壁３の底部１方向への傾倒が阻止されることになり、また、短側壁３に、底部１と反対方向に倒れるような負荷が加わっても、係止部材５ｇの係止突部５ｇ２は、長側壁２に形成された角部垂直部２ｆに当接し、従って、短側壁３の底部１と反対方向への傾倒が阻止されることになる。
【００６２】
更に、箱型に組み立てれられた状態においては、ロック雄部材５を構成する係止部材５ｇの係止突部５ｇ２は、長側壁２に形成された角部垂直部２ｆと内側垂直部２ｇとの間に位置するとともに、長側壁２に形成された角部垂直部２ｆの外側係止突部２ｆ１及び内側垂直部２ｇの内側係止突部２ｇ１の背後に位置しているので、この状態から、長側壁２が、外側に移動しようとしても、ロック雄部材５の係止部材５ｇに形成された係止突部５ｇ２が、長側壁２に形成された角部垂直部２ｆの外側係止突部２ｆ１及び内側垂直部２ｇの内側係止突部２ｇ１とに当接するので、長側壁２が外側に回動するようなことを防止することができる。従って、箱型に組み立てれられた状態において、長側壁２が外側に回動し、長側壁２に形成された雄ヒンジ部材Ｈ２や底部１に形成された雌ヒンジ部材Ｈ１や底部１の長辺土手部１ａ等が損傷するようなことを防止することができる。
【００６３】
上述した箱型に組み立てられた状態から、短側壁３を、底部１方向に倒し、図２２に示されているように、折り畳みコンテナーを折り畳むには、短側壁３に取り付けられたロック雄部材５を、上部弾性板材５ｄの弾性力に抗して、上動させると、図２３及び図２４に示されているように、ロック雄部材５の係止部材５ｇは、長側壁２の内側垂直部２ｇの上端部に形成された切り欠き凹部２ｉの側方に位置するので、この状態から、短側壁３を、底部１方向に倒した際には、ロック雄部材５の係止部材５ｇは、長側壁２の内側垂直部２ｇの上端部に形成された切り欠き凹部２ｉを通過し、短側壁３を、底部１方向に倒すことができる。作業者が、誤って、短側壁３を、底部１と反対方向に倒そうとした場合には、ロック雄部材５の係止部材５ｇに形成された係止突部５ｇ２が、長側壁２に形成された角部垂直部２ｆに当接することになり、従って、短側壁３の底部１と反対方向への回動が阻止されることになる。
【００６４】
また、上述した箱型に組み立てられた状態から、短側壁３を、底部１と反対方向に倒す場合には、短側壁３に取り付けられたロック雄部材５を、下部弾性板材５ｅの弾性力に抗して、下動させると、図２５及び図２６に示されているように、ロック雄部材５の係止部材５ｇは、長側壁２の角部垂直部２ｆの下端部に形成された角部切り欠き部２ｊの側方に位置するので、この状態から、短側壁３を、底部１と反対方向に倒した際には、ロック雄部材５の係止部材５ｇは、長側壁２の角部垂直部２ｆの下端部に形成された角部切り欠き部２ｊを通過し、短側壁３を、底部１と反対方向に倒すことができる。作業者が、誤って、短側壁３を、底部１方向に倒そうとした場合には、ロック雄部材５の係止部材５ｇに形成された係止突部５ｇ２が、長側壁２に形成された内側垂直部２ｇに当接することになり、短側壁３の底部１方向への回動が阻止されることになる。
【００６５】
折り畳みコンテナーを箱型に組み立てた際には、短側壁３の下端水平フランジ３ｃと連結部材４の上端フランジ４ｂを構成する中間水平部４ｂ２との間に間隙が形成されることになるが、このような間隙は、上述した下端水平フランジ３ｃを越えて下方に延長する帯状突出リブ３ｍにより閉鎖されることになる。また、帯状突出リブ３ｍは、図１６に示されているように、短側壁３を底部１と反対方向に倒した際に、短側壁３の下端水平フランジ３ｃと連結部材４の上端フランジ４ｂを構成する中間水平部４ｂ２との間に形成された間隙を埋めることができ、従って、箱型に組み立てられた折り畳みコンテナーから、物品Ａを円滑に取り出すことができる。
【００６６】
また、図３や図７や図１５等の示されているように、底部１に形成された長辺側土手部１ａを形成する内側垂直部１ａ１を、下部領域を除いて、外側垂直部１ａ３方向に膨出させて、外側垂直部１ａ３方向に引っ込んだ、横方向に延在する凹部領域１ａ１’を形成することができる。図１７に示されているように、箱型に組み立てられた折り畳みコンテナーの一方の短側壁３が底部１と反対方向に対されて形成された開放部から、底部１の底板１ｂの上面をスライドさせながら、物品を取り出す際に、上記のような凹部領域１ａ１’を形成することにより、物品が、長側壁２の板状部２ａの内面２ａ２及び底部１の長辺側土手部１ａに略全面的に接触する場合に比べて、摩擦抵抗が少なくなり、従って、折り畳みコンテナーからの物品の取り出しが容易になる。
【００６７】
６は、底部１の底板１ｂの上面中央部に、長側壁２に沿って形成された凸条ガイド部材であり、このような凸条ガイド部材６が突設されている場合には、物品Ａは、図１７に示されているように、凸条ガイド部材６を挟んで、２列に収納されることになる。このような凸条ガイド部材６を突設することにより、物品Ａが収納された折り畳みコンテナーを搬送する際に、収納された物品Ａの長側壁２方向への移動が阻止され、従って、物品Ａの収納状態が乱されることがなく、また、物品Ａ同士の衝突による物品Ａの損傷を低減することができる。また、箱型に組み立てられた折り畳みコンテナーの一方の短側壁３が底部１と反対方向に対されて形成された開放部から、底部１の底板１ｂの上面をスライドさせながら、物品Ａを取り出す際に、一方の列に収納された物品Ａが、もう一方の列に収納された物品Ａ方向に移動しようとしても、凸条ガイド部材６により、その移動が制限されるので、上記の開放部からの物品Ａのスライド取り出しを円滑に行うことができるとともに、物品Ａ同士の衝突による物品Ａの損傷を低減することができる。このような、凸条ガイド部材６が、必要に応じて形成されるものであり、また、凸条ガイド部材６は、収納される物品Ａの大きさや形状等を考慮して、複数本、形成することができる。
【００６８】
上述した実施例には、短側壁３に取り付けられたロック雄部材５を上動させた場合には、短側壁３が、底部１方向に倒され、また、短側壁３に取り付けられたロック雄部材５を下動させた場合には、短側壁３が、底部１と反対方向に倒される例が示されているが、長側壁２の角部垂直部２ｆの上端部に、上述した切り欠き凹部２ｉを形成し、また、内側垂直部２ｇの下端部に、上述した角部切り欠き部２ｊを形成することによって、短側壁３に取り付けられたロック雄部材５を上動させた場合には、短側壁３が、底部１と反対方向に倒され、また、ロック雄部材５を下動させた場合には、短側壁３が、底部１方向に倒されるように構成することもできる。
【００６９】
上述したように、連結部材４の嵌合突部４ｇの垂直部４ｇ１は、折り畳みコンテナーが箱型に組み立てられた状態において、図２６等の示されているように、短側壁３の下端水平フランジ３ｃの中央部に形成された切り欠き凹部３ｃ１に嵌合するとともに、嵌合突部４ｇの水平部４ｇ２が、短側壁３の下端水平フランジ３ｃの上面に当接或いは接近して位置するように構成されている。また、短側壁３の下端水平フランジ３ｃの先端部は、連結部材４の嵌合突部４ｇを構成する垂直部４ｇ１と水平部４ｇ２及び帯状突出ブロック４ｆの上面とにより形成される凹部４ｊに嵌合されるように構成されており、従って、折り畳みコンテナーが箱型に組み立てられた状態において、連結部材４が、短側壁３の下端水平フランジ３ｃの裏面の両端部付近に垂設された一対の略円筒状の軸受部３ｊと連結部材４の上部軸受部４ｄとに嵌入された連結ピンｐ１の軸芯を中心とした上部回転軸を中心に、外側に回動するようなことを阻止することができる。
【００７０】
なお、連結部材４の嵌合突部４ｇに穿設された透孔４ｉが位置する水平部４ｇ２の先端に、下方に延在する係止突起４ｇ２’を形成することが好ましい。そして、折り畳みコンテナーが箱型に組み立てられた状態において、嵌合突部４ｇの水平部４ｇ２に垂設された係止突起４ｇ２’が、短側壁３の下端水平フランジ３ｃの上面に圧接するように構成されており、従って、連結部材４が、短側壁３の下端水平フランジ３ｃの裏面の両端部付近に垂設された一対の略円筒状の軸受部３ｊと連結部材４の上部軸受部４ｄとに嵌入された連結ピンｐ１の軸芯を中心とした上部回転軸を中心に、外側に回動するようなことを、確実に阻止することができる。
【００７１】
上述したように、折り畳みコンテナーが箱型に組み立てられた状態から、短側壁３に取り付けられたロック雄部材５を上動させた場合には、短側壁３が、底部１方向或いは底部１と反対方向の何方か一方のみに倒され、また、短側壁３に取り付けられたロック雄部材５を下動させた場合には、短側壁３が、上記の傾倒方向とは反対方向に倒されるように構成されているので、箱型に組み立てられた折り畳みコンテナーの一方の短側壁３を底部１と反対側に倒して開放部を形成する際に、作業者が、誤って、一方の短側壁１を底部方向に倒し、箱型に組み立てられた折り畳みコンテナーに収納されている物品を損傷したり、或いは、物品に衝突した短側壁を損傷するというような課題を解決することができる。
【図面の簡単な説明】
【００７２】
【図１】図１は、本発明の折り畳みコンテナーが箱型に組み立てられた状態の斜視図である。
【図２】図２は、本発明の折り畳みコンテナーを構成する底部の斜視図である。
【図３】図３は、本発明の折り畳みコンテナーを構成する底部と長側壁とのヒンジ連結を説明するための底部と長側壁の部分分解斜視図である。
【図４】図４は、本発明の折り畳みコンテナーを構成する底部と長側壁とのヒンジ連結を説明するための底部や長側壁等の部分垂直断面図である。
【図５】図５は、本発明の折り畳みコンテナーを構成する底部の部分斜視図である。
【図６】図６は、図４と同様の底部や長側壁等の部分垂直断面図である。
【図７】図７は、図４と同様の底部や長側壁等の部分垂直断面図である。
【図８】図８は、本発明の折り畳みコンテナーを構成する長側壁の２分割された斜視図である。
【図９】図９は、本発明の折り畳みコンテナーを構成する長側壁の部分斜視図である。
【図１０】図１０は、本発明の折り畳みコンテナーを構成する短側壁の外面側からの斜視図である。
【図１１】図１１は、本発明の折り畳みコンテナーを構成する短側壁の内面側からの斜視図である。
【図１２】図１２は、本発明の折り畳みコンテナーを構成する連結部材の外面側からの斜視図である。
【図１３】図１３は、本発明の折り畳みコンテナーを構成する連結部材の内面側からの斜視図である。
【図１４】図１４は、本発明の折り畳みコンテナーを構成する短側壁の一部と連結部材と底部野一部の分解斜視図である。
【図１５】図１５は、本発明の折り畳みコンテナーの一方の短側壁が底部方向に倒され、もう一方の短側壁が底部と反対側に倒された状態の斜視図である。
【図１６】図１６は、本発明の折り畳みコンテナーの一方の短側壁が底部と反対側に倒された状態の部分斜視図である。
【図１７】図１７は、本発明の折り畳みコンテナーの一方の短側壁が底部と反対側に倒された状態の部分斜視図である。
【図１８】図１８は、本発明の折り畳みコンテナーを構成するロック雄部材の外面側からの斜視図である。
【図１９】図１９は、本発明の折り畳みコンテナーを構成するロック雄部材の内面側からの斜視図である。
【図２０】図２０は、本発明の折り畳みコンテナーを構成する短側壁に連結部材とロック雄部材が配設された状態の斜視図である。
【図２１】図２１は、本発明の折り畳みコンテナーの長側壁の上部両端角部に形成されたロック雌部材と短側壁に配設されたロック雄部材との係合関係を説明するための長側壁の内面側からの部分正面図である。
【図２２】図２２は、本発明の折り畳みコンテナーが折り畳まれた状態の斜視図である。
【図２３】図２３は、図２１と同様の本発明の折り畳みコンテナーの長側壁の上部両端角部に形成されたロック雌部材と短側壁に配設された雄ロック部材との係合関係を説明するための長側壁の内面側からの部分正面図である。
【図２４】図２４は、短側壁が、底部方向に倒されようとする時点の本発明の折り畳みコンテナーの部分斜視図である。
【図２５】図２５は、図２１と同様の本発明の折り畳みコンテナーの長側壁の上部両端角部に形成されたロック雌部材と短側壁に配設された雄ロック部材との係合関係を説明するための長側壁の内面側からの部分正面図である。
【図２６】図２６は、短側壁が、底部と反対方向に倒されようとする時点の本発明の折り畳みコンテナーの部分斜視図である。
【符号の説明】
【００７３】
Ａ・・・・・・・・・・・・・・・・・・・・物品
Ｈ１・・・・・・・・・・・・・・・・・・・雌ヒンジ部材
Ｈ２・・・・・・・・・・・・・・・・・・・雄ヒンジ部材
Ｌ・・・・・・・・・・・・・・・・・・・・ロック雌部材
１・・・・・・・・・・・・・・・・・・・・底部
１ａ・・・・・・・・・・・・・・・・・・・長辺側土手部
２・・・・・・・・・・・・・・・・・・・・長側壁
３・・・・・・・・・・・・・・・・・・・・短側壁
４・・・・・・・・・・・・・・・・・・・・連結部材
５・・・・・・・・・・・・・・・・・・・・ロック雄部材
【図１】
2006051965.tif 000003
【図２】
2006051965.tif 000004
【図３】
2006051965.tif 000005
【図４】
2006051965.tif 000006
【図５】
2006051965.tif 000007
【図６】
2006051965.tif 000008
【図７】
2006051965.tif 000009
【図８】
2006051965.tif 000010
【図９】
2006051965.tif 000011
【図１０】
2006051965.tif 000012
【図１１】
2006051965.tif 000013
【図１２】
2006051965.tif 000014
【図１３】
2006051965.tif 000015
【図１４】
2006051965.tif 000016
【図１５】
2006051965.tif 000017
【図１６】
2006051965.tif 000018
【図１７】
2006051965.tif 000019
【図１８】
2006051965.tif 000020
【図１９】
2006051965.tif 000021
【図２０】
2006051965.tif 000022
【図２１】
2006051965.tif 000023
【図２２】
2006051965.tif 000024
【図２３】
2006051965.tif 000025
【図２４】
2006051965.tif 000026
【図２５】
2006051965.tif 000027
【図２６】
2006051965.tif 000028